(57)【要約】【課題】ハンドルアームの一端部に取り付けたノブは、少しでも力の分散を防ぐために大型化する傾向にあるが、手首の折れ曲がりによる巻き取りのし難さやや、ノブがハンドルアームに近づきハンドルアームで指を怪我する虞が生じる。本発明は、掌で覆うノブを釣り糸巻き取り時の力の作用位置がリール本体の外側に寄り過ぎないようにしてハンドルアームに指が当たることを解決し、握り易く釣り糸の巻き取り操作がし易いハンドル装置を提供するものである。【解決手段】ハンドル装置は、ハンドルアームの一側にハンドル軸に平行な軸を中心として回転するよう軸支持されハンドルアームから離れた位置においてハンドル軸の軸線との交差角が鋭角をなす傾斜した軸線上に掌で覆うノブを備え、このノブはハンドル軸に平行な軸に対して一方が他方に比して長くその短い側から長い側に向けて漸次太くなる卵状を呈することを特徴とする。【選択図】    図１
2004194565.tif 000002
【特許請求の範囲】
【請求項１】
リール本体に回転可能に支持したハンドル装置の回転に基づき竿先側からスプールに釣り糸を巻き取る魚釣り用リールにおいて、前記ハンドル装置は、前記リール本体のハンドル軸に取り付けられたハンドルアームと、前記ハンドルアームから離れた位置において前記ハンドル軸に平行な軸線を中心として回転するよう前記ハンドルアームの一側に軸支持されたノブを備え、このノブは、前記ハンドル軸に平行な軸線に対して一方が他方に比して長くその短い側から長い側に向けて漸次太く掌（手のひら）で覆われる卵状を呈すると共に、前記短い側が前記ハンドルアームに近づくように傾斜した軸線の方向に設けられたことを特徴とする魚釣り用リールのハンドル装置。
【請求項２】
前記ノブは、前記傾斜した軸線に対する直角断面積が実質的に円形状をなすと共に前記長い側の質量が短い側の質量よりも大きく、且つ前記ノブの付け根部が前記ハンドルアーム側へ漸次太さを縮小する曲面外形をなすことを特徴とする請求項１に記載の魚釣り用リールのハンドル装置。
【請求項３】
前記ハンドル軸に平行な軸線に対して前記ノブの傾斜した軸線がなす角度は、６５°〜８５°であることを特徴とする請求項１又は２に記載の魚釣り用リールのハンドル装置。
【発明の詳細な説明】
【０００１】
【発明の属する技術分野】
本発明は、リール本体に回転可能に支持したハンドル装置の回転に基づき竿先側からスプールに釣り糸を巻き取る魚釣り用リールに関する。
【０００２】
【従来の技術】
リール本体に回転可能に支持したハンドル装置の回転に基づき竿先側からスプールに釣り糸を巻き取る魚釣り用リールにおいて、リール本体の一側に突出したハンドル軸に取り付けられたハンドルアームの一側にハンドル軸に平行な軸を中心として回転するよう軸支持され、ハンドルアームから離れた位置で掌で覆う握り部を備えたものがある（例えば、特許文献１参照）。
【０００３】
また、ハンドルノブを握ったままで操作体（ドラグレバー、ドラグノブ）の回動操作ができるようにするために、ハンドルアームの端部に取り付けたハンドルノブがドラグ力を調節するための操作体（ドラグレバー、ドラグノブ）に近づくように、ハンドルアームの途中をリール本体側へ屈曲させて、ハンドルノブをリール本体側へ寄せたものがある（例えば、特許文献２参照）。
【０００４】
また、体力的な負担をかけず、スムースにハンドルを回転させることができるハンドルノブを提供する目的で、リール本体に備えられたハンドルアームに回動可能に配したハンドルノブの軸線をハンドルアームの長手方向と平行状とし、そのハンドルノブのリール本体の側面と対向する面を除く周面、若しくは、リール本体の側面と対向する面の反対側の周面に、後端から先端に亘って軸線方向に傾く傾斜面部を形成したものがある（例えば、特許文献３参照）。
【０００５】
また、釣り糸に迅速な巻き取り操作を行え、頻繁に巻き取り操作を行っても腕を疲れさせ難いリールを合理的に構成することを目的として、ハンドル軸と連結するアーム部に、リール本体から離れるほどハンドル軸の軸芯に接近する回動軸芯を有する摘み部を備えた釣り用リールがある（例えば、特許文献４参照）。
【０００６】
【特許文献１】
実公昭５８−６２９０号公報（第１頁、図１〜図６）。
【特許文献２】
特開平１１−２５３０７９号公報（第１頁〜第３頁、図１、図３）。
【特許文献３】
特開平１１−２０６２９２号公報（第２頁〜第３頁、図１〜図３）。
【特許文献４】
実用新案登録第２５１４２０７号公報（第２頁〜第３頁、図１〜図４）。
【０００７】
【発明が解決しようとする課題】
上記の特許文献のように、ハンドルアームの一端部に取り付けた摘み部、握り部又はハンドルノブと称する部分については、少しでも力の分散を防ぐために大型化する傾向にある。この場合、特許文献３ではハンドルノブを手の平で覆ったときの隙間を解消するが、摘み部、握り部又はハンドルノブと称する部分を太くして掌で覆うようにして力が入り易い状態とすれば、摘み部、握り部又はハンドルノブと称する部分がハンドルアーム側に近づき、ハンドルアームとの間のスペースが狭まり、掌で覆うように握って回転させたとき、ハンドルアームに指が当たり指を怪我する虞が生じる。
【０００８】
一方、ハンドルアームとの間のスペースを大きくとれば、ハンドルアームに指が当たることは解決するが、摘み部、握り部又はハンドルノブと称する部分がリール本体から離れるほどハンドルの回転操作とドラグ機構などの操作がし難くなる。即ち、特許文献１及び３のものはハンドルアームが直線状であるため、このような点で課題があるが、特許文献２のものはこれを改良して操作体（ドラグレバー、ドラグノブ）の操作性を向上する発明である。しかし、ハンドルアームの途中をリール本体側へ屈曲させればこの屈曲部に指が当たり易くなる。これを防止するためにハンドルノブとハンドルアームとの間のスペースを大きくとれば、釣り糸の巻き取り時の力の作用位置がリール本体の外側に寄り過ぎて違和感を生じ、巻き取り操作がし難くなる課題がある。
【０００９】
また、摘み部、握り部又はハンドルノブと称する部分をハンドルアームから遠くすれば、摘み部、握り部又はハンドルノブと称する部分に力が加わったときには撓みが生じ易くなるため、この撓みを防ぐためには摘み部、握り部又はハンドルノブと称する部分をハンドルアームに連結するシャフトが長く太く大きなものとなる。それによって、指を挟み込んだときに指が痛くなり、質量が増加すると共に外観的にも劣る問題が生じる。
【００１０】
特許文献４のものは、摘み部を指先で摘んで回転させるタイプであり、掌で覆うタイプに適用される構成ではない。
【００１１】
本発明は、これらの点に鑑みて、ハンドルアームの一側部に取り付けた掌（手のひら）で覆うようにノブを大型化した場合にも、釣り糸巻き取り時の力の作用位置がリール本体の外側に寄り過ぎないようにすると共にハンドルアームに指が当たることを解決し、握り易く釣り糸の巻き取り操作がし易い魚釣り用リールのハンドル装置を提供するものである。
【００１２】
【課題を解決するための手段】
本発明の魚釣り用リールのハンドル装置は、リール本体に回転可能に支持したハンドル装置の回転に基づき竿先側からスプールに釣り糸を巻き取る魚釣り用リールにおいて、前記ハンドル装置は、前記リール本体のハンドル軸に取り付けられたハンドルアームと、前記ハンドルアームから離れた位置において前記ハンドル軸に平行な軸線を中心として回転するよう前記ハンドルアームの一側に軸支持されたノブを備え、このノブは、前記ハンドル軸に平行な軸線に対して一方が他方に比して長くその短い側から長い側に向けて漸次太く掌（手のひら）で覆われる卵状を呈すると共に、前記短い側が前記ハンドルアームに近づくように傾斜した軸線の方向に設けられたことを特徴とする。
【００１３】
これによって、ノブをハンドルアームに支持するシャフトの軸線は、ハンドル軸の軸線と平行であるため、ノブの回転をスムースに行うことができると共に、ノブが傾斜しているため掌で覆い握る比較的大きなノブであってもハンドルアームに指が当たらない状態を維持できる。また、釣り糸巻き取り回転時の手首の自由が効き、重負荷が掛かったときの釣り糸巻上げ時にノブが押し込み回転軌道に入ったときにも手首の折れ曲がりが抑制され、回転時の作用力のロスが少なく、大きな巻き取り力を得つつハンドル装置の回転をスムースに行えるものとなる。
【００１４】
また本発明の魚釣り用リールのハンドル装置のノブは、前記傾斜した軸線に対する直角断面積が実質的に円形状をなすと共に前記長い側の質量が短い側の質量よりも大きく、且つ前記ノブの付け根部が前記ハンドルアーム側へ漸次太さを縮小する曲面外形をなすことを特徴とする。このため、リールを竿に取り付けた状態ではノブの長い側が下方に位置した正規の状態を保ち、ハンドル操作をし易い姿勢を維持できると共に、ノブを掌で覆い握るときノブの長い側が掌の内側で覆われ、掌で受ける感覚とハンドルアーム側に掛かる指のタッチがソフトで違和感なく握り易く、重負荷が掛かったときにもハンドル装置の回転操作をスムースに行える。
【００１５】
また本発明ハンドル装置のノブは、前記ハンドル軸に平行な軸線に対して前記ノブの傾斜した軸線がなす角度は、６５°〜８５°であることを特徴とする。これによって、掌で覆った状態でノブを回転し易い姿勢に維持でき、重負荷が掛かったときにもハンドルアームからノブに至るシャフトを撓ませる無理な力がかかることを抑制できる。
【００１６】
本発明によれば、ノブをハンドルアームに支持するシャフトの軸線は、ハンドル軸の軸線と平行であるため、ノブの回転をスムースに行うことができると共に、ノブの傾斜によってハンドルアームに指が当たることを解決し、握り易く釣り糸の巻き取り操作がし易い魚釣り用リールのハンドル装置となる。このため、ハンドルアームの一側部に取り付けた掌で覆うノブを大型化した場合にも、ハンドルアームに指が当たらずスムースな回転を得ることができる。
【００１７】
【発明の実施の形態】
各図は本発明魚釣り用リールのハンドル装置の実施形態を示しており、図１は本発明のハンドル装置をリール本体の右側に設けた構成の説明図、図２は本発明のハンドル装置の斜視図、図３は本発明のハンドル装置の回転状態の説明図、図４は本発明のハンドル装置の握り方の一つの状態の説明図、図５は本発明ハンドル装置のノブの構成を示す断面図、図６は図１の軸線９Ａに直角方向のＹ矢視におけるノブの側面図及び一部断面図、図７は本発明のハンドル装置の他の実施形態を示す説明図、図８は図７の本発明ハンドル装置のノブの構成を示す断面図、図９は本発明のハンドル装置の他の握り方の状態説明図、図１０は親指でノブを下支えし全ての指をノブの長い側へ回し込ませた握り状態図、図１１は図１０の角度を変えた位置からの状態図、図１２は親指でノブを下支え二本指をノブの長い側へ回し込ませた握り状態図、図１３はノブを握ったとき指の状態図、図１４は本発明を適用したスピニングリールの下面矢視での説明図、図１５は図１４のスピニングリールの後面矢視での説明図、図１６は従来の円柱状ノブの形態を示す図、図１７は図１６のノブを握った状態図、図１８は従来の円形ドラム状ノブの形態を示す図、図１９は図１８のノブを握った状態図である。
【００１８】
以下、本発明の実施形態を図に基づき説明する。先ず、本発明を両軸受けタイプのリールに適用した場合を説明する。図１乃至図６において、魚釣り用リール１は、両軸受けタイプのリール本体２の略センターに設けたスプール軸４Ａには、釣り糸を巻き取るスプール４が回転自在に取り付けられている。スプール軸線４Ａと平行にリール本体２に支持したハンドル軸５には、ハンドル装置３が取り付けられており、リール本体２に対するハンドル装置３の回転によってスプール４を回転させて竿先側から釣り糸を巻きとる操作を行う。ハンドル装置３は、リール本体２の一側に突出したハンドル軸５に先端部にハンドル軸５に螺合する締め付けナット７によって取り付けられたハンドルアーム６と、ハンドルアーム６の一側にハンドル軸５又はハンドル軸５の軸線５Ａに平行な軸８又は軸線８Ａを中心として回転するよう軸支持された掌で覆う形状のノブ９を備えている。
【００１９】
リール本体２内には、ハンドル装置３を図３で時計方向へ回転することによってハンドル軸５が回転し、リール本体２内に設けたワンウェイクラッチ機構とドラッグ機構を介してリール本体２内のメインギアが回転し、このメインギアと噛み合うピニオンギアの回転によってスプール４が回転して釣り糸を巻き取る仕組みである。
【００２０】
仕掛けを投げて釣りをしているときは、前記ワンウェイクラッチ機構によってハンドル軸５の逆転が阻止されている。この状態において、魚が仕掛けにかかった場合、その魚が引く力が釣り糸を通してスプール４に伝達される。この場合、魚が引く力が前記ドラッグ機構によって設定した抵抗力よりも小さい場合はスプール４が回転せず、釣り糸がスプール４から繰り出されることはない。しかし、魚による引きが強く前記ドラッグ機構によって設定した抵抗力を上回る場合は、前記ドラッグ機構部での滑りによってスプール４が回転するため、スプール４からの釣り糸の繰り出しが行われる。このような機構は従来から公知である。
【００２１】
図２に示すハンドルアーム６は途中に屈曲部６Ａを形成していないタイプであるが、ハンドルアーム６はハンドル軸５に対して直角状態である。また、図１に示すハンドルアーム６は、ノブ９がリール本体２側へ寄るように、中間部分にリール本体２側へ屈曲した屈曲部６Ａを形成しているが、ハンドル軸５に対して直角状態である。即ち、ハンドル軸５に取り付けた部分６Ｂと屈曲部６Ａから先の部分６Ｃは平行でありハンドル軸５となす角度θ２が直角状態であり、したがって、ハンドル軸５の軸線５Ａに平行な軸線８Ａとのなす角度θ３も直角である。１５はハンドルアーム６の他端側に取り付けたバランサである。
【００２２】
ハンドルアーム６の一側には、ハンドル軸５の軸線５Ａに平行な軸線８Ａ方向にシャフト８が固定状態に取り付けられ、ノブ９の取り付け軸部１０がこのシャフト８を包む状態でシャフト８に回転自在に支持され、この結果、ノブ９は、ハンドルアーム６の一側にハンドルアーム６から離れた位置においてハンドル軸５又は軸線５Ａに平行な軸８又は軸線８Ａを中心として回転するよう軸支持されている。そして、ノブ９は、ハンドル軸５Ａに平行な軸線８Ａに対して一方が他方に比して長くその短い側１１から長い側１２に向けて漸次太く、掌（手のひら）で覆った状態で握り締める形態である。そして、短い側１２がハンドルアーム６に近づくように、ハンドル軸５Ａに平行な軸線８Ａに対して鋭角θ１で傾斜した軸線９Ａの方向に設けられている。このため、ハンドル軸５の軸線５Ａと傾斜した軸線９Ａとの交差角もθ１となる。ハンドル軸５に平行な軸線８Ａに対してノブ９の傾斜した軸線９Ａがなす角度θ１は、６５°〜８５°の範囲が、本発明の目的からして適切である。この場合、ノブ９の傾き角θ５、即ち、ノブ９の傾斜した軸線９Ａに直角な軸線とハンドル軸５に平行な軸線８Ａとのなす角度θ５は鋭角であって５°〜２５°となる。
【００２３】
本発明のノブ９の具体的な実施形態を説明すると、このノブ９は、図６に示すように、軸線９Ａに対して左右の長さＴが等しい左右対称形状を成し、ハンドル軸５Ａに平行な軸線８Ａと傾斜した軸線９Ａとの交点Ｐを境として傾斜軸線９Ａに沿った長さが、一方１１が他方１２に比して長い。そして、この短い側１２から長い側１１に向けて漸次太くなる卵状又は繭状を呈し、外形は傾斜した軸線９Ａ方向に非対称な楕円形状である。このため、ノブ９は長い側１１の質量が短い側１２の質量よりも大きい。
【００２４】
長い側１１対短い側１２の比率は、多少の誤差があっても実質的に６対４乃至７対３が好ましい。そして、ノブ９は、傾斜した軸線９Ａに直角な直角断面積の最大部分Ｗが長い側１１に存在するように、傾斜した軸線９Ａ上において交点Ｐから等距離にある長い側１１の断面積と短い側１２の断面積は、常に長い側１１の断面積が短い側１２の断面積よりも大きい。このため、ノブ９は、長い側１１の質量が短い側１２の質量よりも大きい。
【００２５】
ノブ９は、掌で握ったときの感触向上のために、傾斜した軸線９Ａに直角方向（軸線９Ａから半径方向）の長さＴが多少の誤差があっても実質的に同一であり、その代表的な形状として、傾斜した軸線９Ａに直角な直角断面形状Ｍは多少の誤差があっても実質的に円形状をなし、この円形状を基準として取り付け軸部１０が形成されている。このノブ９の直角断面形状Ｍは、短い側１２の上端に行くに従って小さくなり、傾斜した軸線９Ａに直角な直角断面積の最大部分Ｗが長い側１１に存在するように、傾斜した軸線９Ａ上において交点Ｐから等距離にある長い側１１の断面積と短い側１２の断面積は、常に長い側１１の断面積が短い側１２の断面積よりも大きくなる形状であり、この最大断面積部分Ｗから下方へ行くに従って断面積が徐々に小さくなる形状をしている。
【００２６】
このように、下側となる長い側１１の下部がなだらかな縮小傾向にあるので、ハンドル回転の転換範囲におけるノブ９の引き上げ時の巻き込み指に対して違和感なく、内側即ち、こじれ及びねじれ方向へ力を入れ易くする効果がある。このため、握り易く釣り糸の巻き取り操作がし易い魚釣り用リールのハンドル装置となる。
【００２７】
ノブ９の構成は図５に示すように、取り付け軸部１０がシャフト８に回転自在に支持される比較的硬い合成樹脂製の本体部分１３と、本体部分１３の外側を覆うように本体部分１３の外面に接着した弾力性外皮１４とを備えている。また本体部分１３と一体に取り付け軸部１０が形成され、この取り付け軸部１０を覆う部分を弾力性外皮１４に一体に形成している。このため、ノブを掌で覆い握るとき掌で覆う感覚とハンドルアーム側に掛かる指のタッチがソフトとなり、握り易く、ハンドル装置の回転操作をスムースに行える。
【００２８】
ノブ９は、合成樹脂製の本体部分１３の取り付け軸部１０がシャフト８に回転自在に支持されるようにするために、本体部分１３の内側にインサート成形されたステンレス製の軸受け筒２０が設けられ、この軸受け筒２０がシャフト８に回転自在に嵌合した状態である。シャフト８はハンドルアーム６の孔を貫通してカシメ又はナット２４によって固定されている。ノブ９には、シャフト８を組み合わせるために軸受け筒２０に対応してシャフト８の軸線８Ａ上に本体部分１３と弾力性外皮１４を貫通する孔２２が設けられ、この孔にキャップ２１が弾性嵌合している。キャップ２１の中央部には、軸受け筒２０とシャフト８との間に給油するための小さな給油孔２３が形成されている。
【００２９】
図７及び図８にはノブ９の他の実施形態を示している。これにおいて、図１乃至図６のものと異なるところは、取り付け軸部１０とノブ９との連結部の形態である。そして、このノブ９の具体的な構成は図８に示している。図１乃至図６と同符合の部分は同一機能部分又は同一部分を示すものである。以下、この他の実施形態ノブ９の構成について説明する。
【００３０】
この他の実施形態ノブ９の構成は、図８に示すように、取り付け軸部１０がシャフト８に回転自在に支持される比較的硬い合成樹脂製の本体部分１３と、本体部分１３の外側を覆うように本体部分１３の外面に接着した弾力性外皮１４とを備えており、本体部分１３と弾力性外皮１４とでもってノブ９の付け根部、即ちノブ９と取り付け軸部１０との連結部が、ハンドルアーム６側へ向けて漸次太さを縮小する曲面外形Ｊをなす。このため、ノブを掌で覆い握るとき掌で覆う感覚とハンドルアーム側に掛かる指のタッチがソフトで違和感なく握り易く、ハンドル装置の回転操作をスムースに行える。
【００３１】
ノブ９は、合成樹脂製の本体部分１３の取り付け軸部１０がシャフト８に回転自在に支持されるようにするために、本体部分１３の内側にインサート成形されたステンレス製の軸受け筒２０が設けられ、この軸受け筒２０がシャフト８に回転自在に嵌合した状態である。シャフト８はハンドルアーム６の孔を貫通してカシメ又はナット２４によって固定されている。ノブ９には、シャフト８を組み合わせるために軸受け筒２０に対応してシャフト８の軸線８Ａ上に本体部分１３と弾力性外皮１４を貫通する孔２２が設けられ、この孔にキャップ２１が弾性嵌合している。キャップ２１の中央部には、軸受け筒２０とシャフト８との間に給油するための小さな給油孔２３が形成されている。
【００３２】
このノブ９も上記同様に、ハンドル軸５Ａに平行な軸線８Ａ上のハンドルアーム６から離れた位置において、ハンドル軸５に平行な軸線８Ａとの交差角θ１が鋭角をなす傾斜した軸線９Ａ上に設けられ、図４又は図９のように釣り人が掌で覆った状態で握り締める形態である。そして、このノブ９は、図６に示すように、軸線９Ａに対して左右の長さＴが等しい左右対称形状を成し、ハンドル軸５Ａに平行な軸線８Ａと傾斜した軸線９Ａとの交点Ｐを境にして、一方１１が他方１２に比して長く、その短い側１２から長い側１１に向けて漸次太くなる卵状又は繭状を呈し、外形は傾斜した軸線９Ａ方向に非対称な楕円形状である。
【００３３】
そして、ノブ９は、軸線８Ａと傾斜した軸線９Ａとの交点Ｐを境として傾斜軸線９Ａに沿った長さが、一方１１が他方１２に比して長く、その一方１１対他方１２の比率は、多少の誤差があっても実質的に６対４である。ノブ９は、図７に点線Ｑで示すように傾斜した軸線９Ａから半径方向の長さが多少の誤差があっても実質的に同一であり、傾斜した軸線９Ａに直角な直角断面形状Ｍは、図６に示すものと同様に、多少の誤差があっても実質的に円形状をなし、この円形状を基準として取り付け軸部１０が形成されている。そして、ノブ９は、長い側１１の質量が短い側１２の質量よりも大きい。このため、ノブ９は、傾斜した軸線９Ａに直角な直角断面積の最大部分Ｗが長い側１１に存在するように、傾斜した軸線９Ａ上において交点Ｐから等距離にある長い側１１の断面積と短い側１２の断面積は、常に長い側１１の断面積が短い側１２の断面積よりも大きい。
【００３４】
また、傾斜軸９Ａに直角なノブ９の断面形状が略円形であるが、この断面積が短い側１２の上端に行くに従って小さくなり、傾斜した軸線９Ａに直角な直角断面積の最大部分Ｗが長い側１１に存在するように、傾斜した軸線９Ａ上において交点Ｐから等距離にある長い側１１の断面積と短い側１２の断面積は、常に長い側１１の断面積が短い側１２の断面積よりも大きくなる形状であり、この最大断面積部分Ｗから下方へ行くに従って断面積が徐々に小さくなる形状をしている。図３の（ニ）から（ロ）へ至る範囲はノブ９の押し込み回転軌道範囲であり、（ロ）から（ニ）へ至る範囲はノブ９の引き上げ回転軌道範囲であるが、上記のように、下側となる長い側１１の下部がなだらかな縮小傾向にあるので、ハンドル回転の転換範囲におけるノブ９の引き上げ時の巻き込み指に対して違和感なく内側、即ちこじれ及びねじれ方向へ力を入れ易くする効果がある。このため握り易く釣り糸の巻き取り操作がし易い魚釣り用リールのハンドル装置となる。
【００３５】
図１６と図１８には従来のノブ形態を示している。図１６のノブは前記特許文献３（特開平１１−２０６２９２号）の如き略円柱状のノブであり、図１８のノブは特開２００１−２６９０９６号の如き断面円形状のノブである。図１７は図１６のノブ９０を握った状態を示し、図１９は図１８のノブ９０を握った状態を示す。図１６と図１８のノブ９０のいずれも、その軸線９０Ａはハンドルアーム６０の軸線６０Ｄに平行である。このため、ノブ９０を握って釣り糸を巻き取るときには、図１７及び図１９に示しように、釣り人の掌（手のひら）がハンドルアーム６０に略平行状態となってリール本体側へ向いた状態となり、手首が大きく曲がった状態となる。このため、重負荷が掛かったときの釣り糸巻上げ時に、ノブ９０が図３の（ニ）の位置から（ロ）の位置へ移動する軌道範囲、即ち押し込み回転軌道範囲におけるノブ９０への作用力Ｆが逃げることとなり、重負荷が掛かったときの釣り糸巻上げ時の作用力のロスが生じる。
【００３６】
このような従来タイプに対して、本発明のものは、釣り糸巻き取り時にノブを押す方向の力Ｆの逃げを抑制でき、スムースな回転を得ることができる。このことを図に基づき説明する。本発明の上記いずれの形態のノブ９も、図４又は図９のように釣り人が掌で覆った状態で握り締める形態である。そして、本発明のノブ９は傾斜した軸線９Ａに沿った配置であるため、釣り人がノブ９を握った状態では、釣り人の掌（手のひら）がハンドルアーム６に対して開いた状態となる。
このため、図４又は図９に示すように、釣り人の手首の屈曲が極めて少なく、重負荷が掛かったときの釣り糸巻上げ時にノブ９が図３の（ニ）の位置から（ロ）の位置へ移動する軌道範囲、即ちノブ９の押し込み回転軌道範囲における手首の折れ曲がりが抑制され、回転時の作用力のロスが極めて少なく、大きな巻き取り力が得られることとなる。
【００３７】
図１０乃至図１３は本発明のノブ９が比較的大きな場合を示し、図１０には親指をノブ９の下支え状態として全ての指をノブ９の長い側１１へ回し込んでノブ９を握った状態を示す。図１１は図１０の角度を変えた位置からの状態図である。図１２は親指をノブ９の下支え状態とし、二本指をノブ９の長い側１１へ回し込んでノブ９を握った状態を示す。図１３はノブ９の傾斜取り付けによってノブ９を握ったとき親指以外の指が外側へ向かうことにより掌（手のひら）が外方向へ向かい易くなる状態を示す。本発明のノブ９は、その卵状又は繭状の部分と取り付け軸部１０との連結部分に指を掛けその指を回り込ませることにより、釣り糸巻き取り回転時に指がノブ９から離れ難くなる。またノブ９の長い側１１の丸みによってこの部分へ指を巻き込ませやすく、釣り糸巻き取り回転時にその巻き込ませた指に違和感のない状態を保つことができる。
【００３８】
上記いずれの形態の本発明に係るノブ９についても、ノブ９の傾斜した軸線９Ａとハンドル軸５に平行な軸線８Ａとの交差角θ１は、６５°〜８５°の範囲とすることによって、釣り人がノブ９を掌で握って釣り糸を巻き取る方向へ回転させるとき、掌で覆うノブ９を回転し易い姿勢に維持でき、ハンドルアーム６からノブ９に至るシャフト８を撓ませる無理な力がかかることを抑制でき、スムースな回転を得ることができる。
【００３９】
また、ハンドルアーム６の軸線６Ｄとハンドル軸５の軸線５Ａとの交点から延びる直線Ｒが、ノブ９のハンドルアーム側の面に最初に接する点をＳとすれば、この角度θ４＝１２°〜２５°がノブ９の傾きの制限角である。この制限角がハンドルアーム６の実質的なアームの作用長さＬ１（軸線５Ａと８Ａ間の距離）内におけるノブ９のハンドルアーム側の面とハンドルアーム６の軸線６Ｄとの距離Ｌ２を限定することとなる。
【００４０】
本発明の両軸受けタイプリールのハンドル装置３において、好ましい形態として、ハンドルアーム６の実質的なアームの作用長さ（軸線５Ａと８Ａ間の距離）Ｌ１は、５０ｍｍ〜１１０ｍｍが適切であり、この作用長さＬ１に応じて、また魚の大きさに応じて適用するリール１の種類に応じて、ノブ９の傾斜した軸線９Ａとハンドル軸５に平行な軸線８Ａとの交差角θ１を６５°〜８５°の範囲内の選択された角度に設定する。
【００４１】
その一つの好ましいノブ９の実施例としては、ハンドルアーム６の実質的なアームの作用長さＬ１を６０ｍｍ、そして直径１０〜１２ｍｍの取り付け軸部１０に対する交差角θ１を７５°とし、傾斜した軸線９Ａ方向のノブ９の長さが６５ｍｍ、長い側１１対短い側１２の比率が６対４、傾斜した軸線９Ａに直角な直角断面積の最大部分Ｗの直径が３５ｍｍ、長い側１１の質量が短い側１２の質量よりも大きい比較的大きな卵状又は繭状を呈するノブ形状であり、これでもって良好なハンドル装置が達成できる。
【００４２】
次に本発明をスピニングリール１に適用した場合について説明する。図１４及び図１５にはスピニングリール１の一つの形態を示しており、図１乃至図１３と同符合部分は同一機能部分を示す。スピニングリール１は、竿先側から釣り糸を巻き取るスプール４をその回転中心となるスプール軸５０が竿先側へ向いた状態に形成されている。そして、スプール軸５０に９０°の交差状態にハンドル軸５が設けられ、ハンドル軸５のリール本体２から突出した部分にはナット部材６３によってハンドル装置３が取り付けられている。６４はベイル装置、６５は釣竿のリールシート部への取り付け脚部である。
【００４３】
スピニングリール１は釣竿に下側へ吊り下げ状態に取り付けられ、図示のものはハンドル装置３を左側に設けた形態を示している。スピニングリール１においては、上記の両軸受けタイプリールに比してハンドルアーム６が略Ｌ字状に屈曲した２辺６１、６２を形成しており、ハンドルアーム６の一辺６１がハンドル軸５と同軸方向に取り付けられた構成である。この構成において、ハンドルアーム６の取り付けるノブ９の構成は、図５、図６及び図８に示す構成、並びにそれに係る説明及び作用と同様であり、ノブ９は、ハンドルアーム６から離れた位置においてハンドル軸５に平行な軸線８Ａを中心として回転するようハンドルアーム６の一側に軸支持されている。
【００４４】
そして、このノブ９は、上記同様に、ハンドル軸５に平行な軸線８Ａに対して一方１１が他方１２に比して長くその短い側１２から長い側１１に向けて漸次太く掌（手のひら）で覆われる卵状又は繭状を呈する。そして、ハンドル軸５に平行な軸線８Ａとの交差角θ１が鋭角をなすよう短い側１２がハンドルアーム６に近づくように傾斜した軸線９Ａ方向に設けられた構成であり、長い側１１の質量が短い側１２の質量よりも大きい。このため、ノブ９は、傾斜した軸線９Ａに直角な直角断面積の最大部分Ｗが長い側１１に存在するように、傾斜した軸線９Ａ上において交点Ｐから等距離にある長い側１１の断面積と短い側１２の断面積は、常に長い側１１の断面積が短い側１２の断面積よりも大きい。
【００４５】
本発明のスピニングリール１のハンドル装置３において、好ましい形態として、ハンドルアーム６の実質的なアームの作用長さ（軸線５Ａと８Ａ間の距離）Ｌ１は、５０ｍｍ〜１１０ｍｍが適切であり、この作用長さＬ１に応じて、また魚の大きさに応じて適用するリール１の種類に応じて、ノブ９の傾斜した軸線９Ａとハンドル軸５に平行な軸線８Ａとの交差角θ１を６５°〜８５°の範囲内の選択された角度に設定する。
【００４６】
その一つの好ましいノブ９の実施例としては、ハンドルアーム６の実質的なアームの作用長さＬ１を７５ｍｍ、そして直径１０〜１２ｍｍの取り付け軸部１０に対する交差角θ１を７０°とし、傾斜した軸線９Ａ方向のノブ９の長さが７０ｍｍでありその長い側１１対短い側１２の比率が６対４、傾斜した軸線９Ａに直角な直角断面積の最大部分Ｗの直径が３５ｍｍ、長い側１１の質量が短い側１２の質量よりも大きい比較的大きな卵状又は繭状を呈するノブ形状であり、これでもって良好なハンドル装置が達成できる。
【００４７】
本発明のハンドル装置は、上記のように、リール本体２の一側に突出したハンドル軸５に取り付けられたハンドルアーム６と、ハンドルアーム６から離れた位置においてハンドル軸５に平行な軸線８Ａを中心として回転するようハンドルアーム６の一側に軸支持されたノブ９を備え、このノブ９は、ハンドル軸５に平行な軸線８Ａに対して一方１１が他方１２に比して長くその短い側１２から長い側１１に向けて漸次太く掌（手のひら）で覆われる卵状又は繭状を呈する。そしてハンドル軸５に平行な軸線８Ａとの交差角θ１が鋭角をなすよう短い側１２がハンドルアーム６に近づくように傾斜した軸線９Ａ方向に設けられた構成である。
【００４８】
これによって、ノブ９を大型化した場合にも、ハンドルアーム６からノブ９に至るシャフト８を特別に長くする必要がないので、釣り糸巻き取り時の力の作用位置がリール本体２の外側に寄り過ぎない。そして、ノブ９をハンドルアーム６に支持するシャフト８の軸線８Ａは、ハンドル軸５の軸線５Ａと平行であるためノブ９の回転がスムースである。
【００４９】
もし、ノブ９の軸線９Ａとハンドル軸５に平行な軸線８Ａとの交差角が直角となるように設定すると、ノブ９の長い側１１がハンドルアーム６へ近づく状態となり、ハンドルアーム６の実質的なアームの作用長さＬ１（軸線５Ａと軸線８Ａ間の距離）内におけるノブ９のハンドルアーム側の面とハンドルアーム６との距離Ｌ２は狭くなるが、本発明では、ノブ９の軸線９Ａを傾斜に設定することによって、距離Ｌ２は拡がり、ノブ９を掌で覆い被せて握ったとき指がハンドルアーム６に衝突することを防げる。特にハンドルアーム６の途中をリール本体２側へ屈曲させた場合には、この屈曲部分に指が当たり易くなるが、本発明ではその場合にも効果的である。
【００５０】
従来の小型のリールにおいて比較的ノブが小さいものは、従来技術の特許文献４のように人差し指と親指とで摘む態勢をとり、スムースに釣り糸を巻き取るために、手首の軸回転とハンドル軸の軸回転軌道を平行に保とうとする。しかし本発明のノブ９は掌（手のひら）で覆う形態であり、釣り糸を巻き取るときは、図４に示すように、ノブ９を掌で覆い握った状態で図３において時計方向へ回転される。ノブ９を掌で覆い握った状態では、ノブ９の傾斜角度、即ちノブ９の傾斜した軸線９Ａに沿って、親指を除く他の指位置を外側へ向かわせるため、掌（手のひら）が外方向へ向かい易くなり、ノブ９の軸が傾斜していないものに比して回転時のノブ９に対する違和感がなくなる。
【００５１】
また、ノブ９の取り付け姿勢の傾斜と、短い側から長い側に向けて漸次太くなる卵状又は繭状を呈することによって、ハンドルアーム６に釣り人の指が当たることを解決すると共に、このノブ９とそこからハンドルアーム６へ延びる取り付け軸部１０との連結部分に指を掛け、その指をこの連結部分に回り込ませることにより、ハンドル装置３を回転させる釣り糸の巻き取り時に、指がノブ９から離れ難くなる。そして、ノブ９の大きな下部とその断面形状が略円形状をなすことにより、掌（手のひら）の中の隙間を埋める状態で握ることができ、ハンドル装置の回転をスムースに行うことができる。
【００５２】
また、前記特許文献３（特開平１１−２０６２９２号）の如き大型円柱形状をなすノブに比して、本発明のノブ９にあっては、上記連結部分に回り込ませた指のうち取り付け軸部１０の下側に位置する指は、ノブ９の下部の丸み部分によって違和感なくその回り込みと握りが得られる。このため、ノブ９が比較的大きいにも拘わらず、手首の自由が利くようにハンドル軸回転軌道と手首とが略平行に保たれ、釣り糸の巻き取り操作が円滑に行えるものとなる。
【００５３】
本発明では、上記のように比較的大きなノブ９であっても指がハンドルアーム６に当たらない状態にし易いと共に釣り糸巻き取り回転時の手首の自由が効き、重負荷が掛かったときの釣り糸巻上げ時に、ノブ９が押し込み回転軌道に入ったときにも手首の折れ曲がりが抑制され、回転時の作用力のロスが少なく、大きな巻き取り力を得つつハンドル装置の回転をスムースに行えるものとなる。
【００５４】
また、従来のものは、前述のようにハンドルアームに指が当たることを避けるためにはノブがハンドルアームから遠い位置となり、そのために釣り糸の巻き取り時の力の作用位置がリール本体の外側に寄り過ぎて巻き取り操作がし難くなって違和感を生じ、巻き取り操作がし難くなる。またノブに力が加わったときの撓みを防ぐために、ノブをハンドルアームに連結するシャフト部分を長く太く大きなものとすれば、質量が増加すると共に外観的にも劣る問題があった。しかし、本発明では操作性や力の作用点がリール本体２から遠くならず、ノブ９がリール本体２側へ寄るように図１に示すハンドルアーム６の中間部分にリール本体２側へ屈曲した屈曲部６Ａを形成した場合にも、ノブ９とハンドルアーム６との間のスペースを従来のように広げることなく、ハンドルアームに指が当たることを避け得るため、従来のもののような問題も解決する。
【００５５】
また、リール１を竿に取り付けた状態では、図３のようにハンドルアーム６がどの回転位置にあってもノブ９の長い側１１が下方に位置した正規の向きを保つ。若し、ハンドルアーム６の回転位置によってノブ９の向きが異なる場合は、魚が仕掛けに掛かった際に咄嗟にノブ９を握ったとき、握り具合が悪いために握り直さなければならず、魚を釣り上げるタイミングを逸することにも繋がるが、本発明では、釣り糸を巻き上げる際にも正規の状態で握ることができるため、魚を釣り上げるタイミングに合わせて素早くノブを握ることできるものとなる。
【００５６】
本発明は上記実施形態の両軸受けタイプのリールに限定されるものではなく、その他のタイプのリールにも適用可能であり、特許請求の範囲を逸脱しない範囲における種々の実施形態を包含するものである。
【００５７】
【発明の効果】
本発明では、ノブをハンドルアームに支持するシャフトの軸線は、ハンドル軸の軸線と平行であるため、ノブの回転をスムースに行うことができると共に、ノブが傾斜しているため、掌で覆い握る比較的大きなノブであってもハンドルアームに指が当たらない状態を維持できる。また、釣り糸巻き取り回転時の手首の自由が効き、重負荷が掛かったときの釣り糸巻上げ時にノブが押し込み回転軌道に入ったときにも手首の折れ曲がりが抑制され、回転時の作用力のロスが少なく、大きな巻き取り力を得つつハンドル装置の回転をスムースに行えるものとなる。
【００５８】
また本発明のノブは、前記傾斜した軸線に対する直角断面積が実質的に円形状をなすと共に前記長い側の質量が短い側の質量よりも大きく、且つ前記ノブの前記ハンドルアーム側の付け根部が漸次太さを縮小する曲面外形をなす。このため、リールを竿に取り付けた状態ではノブの長い側が下方に位置した正規の状態を保ちつつハンドル操作をし易い姿勢を維持でき、ノブを掌で覆い握るとき、ノブの長い側が掌の内側で覆われ、掌で受ける感覚と掛かる指のタッチがソフトで違和感なく握り易く、重負荷が掛かったときにもハンドル装置の回転操作をスムースに行える。
【００５９】
また本発明のノブの傾斜した軸線とハンドル軸の軸線との交差角が６５°〜８５°であるため、掌で覆うノブを回転し易い姿勢に維持でき、重負荷が掛かったときにもハンドルアームからノブに至るシャフトを撓ませる無理な力がかかることを抑制できる。
【図面の簡単な説明】
【図１】本発明のハンドル装置をリール本体の右側に設けた構成の説明図である。
【図２】本発明ハンドル装置の斜視図である。
【図３】本発明ハンドル装置の回転状態の説明図である。
【図４】本発明のハンドル装置の握り方の一つの状態説明図である。
【図５】本発明ハンドル装置のノブの構成を示す断面図である。
【図６】図１の軸線９Ａに直角方向のＹ矢視でのノブの側面図と一部断面図である。
【図７】本発明のハンドル装置の他の実施形態を示す説明図である。
【図８】図７の本発明ハンドル装置のノブの構成を示す断面図である。
【図９】本発明のハンドル装置の他の握り方の状態説明図である。
【図１０】本発明のハンドル装置のノブを親指で下支えし全ての指をノブの長い側へ回し込ませた握り状態図である。
【図１１】図１０の角度を変えた位置からの状態図である。
【図１２】本発明のハンドル装置のノブを親指で下支え二本指をノブの長い側へ回し込ませた握り状態図である。
【図１３】本発明のハンドル装置のノブを握ったときの指の状態図である。
【図１４】本発明を適用したスピニングリールの下面矢視での説明図である。
【図１５】図１４のスピニングリールの後面矢視での説明図である。
【図１６】従来の円柱状ノブの形態を示す図である。
【図１７】図１６のノブを握った状態図である。
【図１８】従来の円形ドラム状ノブの形態を示す図である。
【図１９】図１８のノブを握った状態図である。
【符号の説明】
１……魚釣り用リール
２……リール本体
３……ハンドル装置
４……スプール
５……ハンドル軸
５Ａ……ハンドル軸の軸線
６……ハンドルアーム
８……ハンドル軸に平行な軸（シャフト）
８Ａ……ハンドル軸に平行な軸線
９……ノブ
９Ａ……ノブの軸線
１０……ノブの取り付け軸部
１１……ノブの長い側
１２……ノブの短い側
１３……ノブの本体部分
１４……弾力性外皮
【図１】
2004194565.tif 000003
【図２】
2004194565.tif 000004
【図３】
2004194565.tif 000005
【図４】
2004194565.tif 000006
【図５】
2004194565.tif 000007
【図６】
2004194565.tif 000008
【図７】
2004194565.tif 000009
【図８】
2004194565.tif 000010
【図９】
2004194565.tif 000011
【図１０】
2004194565.tif 000012
【図１１】
2004194565.tif 000013
【図１２】
2004194565.tif 000014
【図１３】
2004194565.tif 000015
【図１４】
2004194565.tif 000016
【図１５】
2004194565.tif 000017
【図１６】
2004194565.tif 000018
【図１７】
2004194565.tif 000019
【図１８】
2004194565.tif 000020
【図１９】
2004194565.tif 000021